【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
基材を提供する工程；
バイオポリマーマトリックス溶液を前記基材の上にキャストする工程であって、前記バイオポリマーマトリックス溶液がバイオポリマーおよび添加された生物学的物質を含む、工程；および
前記添加された生物学的物質を含む前記バイオポリマーマトリックス溶液を乾燥させて、前記基材の上に固化したバイオポリマーセンサーを形成させる工程
を含む、バイオポリマーセンサーの製造方法。
【請求項２】
バイオポリマーを提供する工程；および
バイオポリマーを加工して、バイオポリマーマトリックス溶液を得る工程
をさらに含む、請求項１に記載の方法。
【請求項３】
固化したバイオポリマーセンサーをアニールする工程をさらに含む、請求項１に記載の方法。
【請求項４】
固化したバイオポリマーセンサーをアニールする工程が、真空環境および水蒸気環境の少なくとも一つの中で実施される、請求項３に記載の方法。
【請求項５】
基材がナノパターン形成された表面を含み、かつ固化したバイオポリマー膜がその上にナノパターンを有する表面を伴って形成されるように、バイオポリマーマトリックス溶液が前記基材の前記ナノパターン形成された表面の上にキャストされる、請求項１に記載の方法。
【請求項６】
基材が、光学デバイスのためのテンプレートである、請求項１に記載の方法。
【請求項７】
基材が、レンズ、マイクロレンズアレイ、光学格子、パターン発生器、およびビームリシェーパーのうちの少なくとも一つのためのテンプレートである、請求項６に記載の方法。
【請求項８】
バイオポリマーが絹である、請求項１に記載の方法。
【請求項９】
バイオポリマーマトリックス溶液が、およそ１．０重量％〜３０重量％（両端を含む）の絹を含む絹フィブロイン水溶液である、請求項８に記載の方法。
【請求項１０】
前記絹フィブロイン水溶液が、およそ８．０重量％の絹を含む、請求項９に記載の方法。
【請求項１１】
バイオポリマーが、キトサン、コラーゲン、ゼラチン、アガロース、キチン、ポリヒドロキシアルカノエート、プラン（ｐｕｌｌａｎ）、デンプン（アミロース  アミロペクチン）、セルロース、ヒアルロン酸、および関連するバイオポリマーからなる群、またはそれらの組み合わせより選択される、請求項１に記載の方法。
【請求項１２】
生物学的物質が、赤血球、セイヨウワサビペルオキシダーゼ、およびフェノールスルホンフタレインからなる群、またはそれらの組み合わせより選択される、請求項１に記載の方法。
【請求項１３】
生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、ＤＮＡポリメラーゼ、グルコースオキシダーゼ、ラッカーゼ、細胞、ウイルス、タンパク質、ペプチド、小分子、薬剤、色素、アミノ酸、ビタミン、抗酸化剤、ＤＮＡ、ＲＮＡ、ＲＮＡｉ、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン（ｐｒｏｔｏｒｈｏｄｏｐｓｉｎ）、およびポルフィリン、ならびに関連する電子的に活性な化合物からなる群、またはそれらの組み合わせより選択される、請求項１に記載の方法。
【請求項１４】
バイオポリマーの表面の上にナノパターンを機械加工する工程をさらに含む、請求項１に記載の方法。
【請求項１５】
ナノパターンが、ホールおよびピットの少なくとも１種のアレイを含む、請求項１４に記載の方法。
【請求項１６】
バイオポリマー膜の上にナノパターンを機械加工する工程が、レーザーを使用して実施される、請求項１４に記載の方法。
【請求項１７】
前記機械加工する工程が、前記レーザーによって発生されるフェムト秒レーザーパルスによって実施される、請求項１６に記載の方法。
【請求項１８】
基材を提供する工程；
バイオポリマーマトリックス溶液を前記基材の上にキャストする工程であって、前記バイオポリマーマトリックス溶液がバイオポリマーを含む、工程；
前記バイオポリマーマトリックス溶液を乾燥させて、前記基材の上に固化したバイオポリマー膜を形成させる工程；および
前記固化したバイオポリマー膜に生物学的物質を添加する工程
を含む、バイオポリマーセンサーの製造方法。
【請求項１９】
バイオポリマーマトリックス溶液が、およそ１．０重量％〜３０重量％（両端を含む）の絹を含む絹フィブロイン水溶液である、請求項１８に記載の方法。
【請求項２０】
バイオポリマーが、キトサン、コラーゲン、ゼラチン、アガロース、キチン、ポリヒドロキシアルカノエート、プラン、デンプン（アミロース  アミロペクチン）、セルロース、ヒアルロン酸、および関連するバイオポリマーからなる群、またはそれらの組み合わせより選択される、請求項１８に記載の方法。
【請求項２１】
生物学的物質が、赤血球、セイヨウワサビペルオキシダーゼ、およびフェノールスルホンフタレインからなる群、またはそれらの組み合わせより選択される、請求項１８に記載の方法。
【請求項２２】
生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、ＤＮＡポリメラーゼ、グルコースオキシダーゼ、ラッカーゼ、細胞、ウイルス、タンパク質、ペプチド、小分子、薬剤、色素、アミノ酸、ビタミン、抗酸化剤、ＤＮＡ、ＲＮＡ、ＲＮＡｉ、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン、およびポルフィリン、ならびに関連する電子的に活性な化合物からなる群、またはそれらの組み合わせより選択される、請求項１８に記載の方法。
【請求項２３】
バイオポリマーの表面の上にナノパターンを機械加工する工程をさらに含む、請求項１８に記載の方法。
【請求項２４】
ナノパターンが、ホールおよびピットの少なくとも１種のアレイを含む、請求項２３に記載の方法。
【請求項２５】
バイオポリマー膜の上にナノパターンを機械加工する工程が、レーザーを使用して実施される、請求項２３に記載の方法。
【請求項２６】
前記機械加工する工程が、前記レーザーによって発生されるフェムト秒レーザーパルスによって実施される、請求項２５に記載の方法。
【請求項２７】
包埋された生物学的物質を含む固化したバイオポリマー膜を含む、バイオポリマーセンサー。                                                 
【請求項２８】
レンズ、マイクロレンズアレイ、光学格子、パターン発生器、およびビームリシェーパーのうちの少なくとも一つである、請求項２７に記載のバイオポリマーセンサー。
【請求項２９】
バイオポリマーセンサーの固化したバイオポリマー膜が絹である、請求項２７に記載のバイオポリマーセンサー。
【請求項３０】
バイオポリマーセンサーの固化したバイオポリマー膜が、キトサン、コラーゲン、ゼラチン、アガロース、キチン、ポリヒドロキシアルカノエート、プラン、デンプン（アミロース  アミロペクチン）、セルロース、ヒアルロン酸、および関連するバイオポリマーからなる群、またはそれらの組み合わせより選択される、請求項２７に記載のバイオポリマーセンサー。
【請求項３１】
生物学的物質が、赤血球、セイヨウワサビペルオキシダーゼ、およびフェノールスルホンフタレインからなる群、またはそれらの組み合わせより選択される、請求項２７に記載のバイオポリマーセンサー。
【請求項３２】
生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、ＤＮＡポリメラーゼ、グルコースオキシダーゼ、ラッカーゼ、細胞、ウイルス、タンパク質、ペプチド、小分子、薬剤、色素、アミノ酸、ビタミン、抗酸化剤、ＤＮＡ、ＲＮＡ、ＲＮＡｉ、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン、およびポルフィリン、ならびに関連する電子的に活性な化合物からなる群、またはそれらの組み合わせより選択される、請求項２７に記載のバイオポリマーセンサー。
【請求項３３】
その上にナノパターンを有する表面をさらに含む、請求項２７に記載のバイオポリマーセンサー。
【手続補正２】
【補正対象書類名】明細書
【補正対象項目名】００２４
【補正方法】変更
【補正の内容】
【００２４】
本発明のこれらおよびその他の利点および特徴は、添付の図面と併せて参照すれば、以下の本発明の好ましい実施態様の詳細な説明から、より明らかになると考えられる。
[請求項1001]
基材を提供する工程;
バイオポリマーマトリックス溶液を前記基材の上にキャストする工程であって、前記バイオポリマーマトリックス溶液がバイオポリマーおよび添加された生物学的物質を含む、工程;および
前記添加された生物学的物質を含む前記バイオポリマーマトリックス溶液を乾燥させて、前記基材の上に固化したバイオポリマーセンサーを形成させる工程
を含む、バイオポリマーセンサーの製造方法。
[請求項1002]
バイオポリマーを提供する工程;および
バイオポリマーを加工して、バイオポリマーマトリックス溶液を得る工程
をさらに含む、請求項1001に記載の方法。
[請求項1003]
固化したバイオポリマーセンサーをアニールする工程をさらに含む、請求項1001に記載の方法。
[請求項1004]
固化したバイオポリマーセンサーをアニールする工程が、真空環境および水蒸気環境の少なくとも一つの中で実施される、請求項1003に記載の方法。
[請求項1005]
基材がナノパターン形成された表面を含み、かつ固化したバイオポリマー膜がその上にナノパターンを有する表面を伴って形成されるように、バイオポリマーマトリックス溶液が前記基材の前記ナノパターン形成された表面の上にキャストされる、請求項1001に記載の方法。
[請求項1006]
基材が、光学デバイスのためのテンプレートである、請求項1001に記載の方法。
[請求項1007]
基材が、レンズ、マイクロレンズアレイ、光学格子、パターン発生器、およびビームリシェーパーのうちの少なくとも一つのためのテンプレートである、請求項1006に記載の方法。
[請求項1008]
バイオポリマーが絹である、請求項1001に記載の方法。
[請求項1009]
バイオポリマーマトリックス溶液が、およそ1.0重量%〜30重量%(両端を含む)の絹を含む絹フィブロイン水溶液である、請求項1008に記載の方法。
[請求項1010]
前記絹フィブロイン水溶液が、およそ8.0重量%の絹を含む、請求項1009に記載の方法。
[請求項1011]
バイオポリマーが、キトサン、コラーゲン、ゼラチン、アガロース、キチン、ポリヒドロキシアルカノエート、プラン(pullan)、デンプン(アミロース アミロペクチン)、セルロース、ヒアルロン酸、および関連するバイオポリマーからなる群、またはそれらの組み合わせより選択される、請求項1001に記載の方法。
[請求項1012]
生物学的物質が、赤血球、セイヨウワサビペルオキシダーゼ、およびフェノールスルホンフタレインからなる群、またはそれらの組み合わせより選択される、請求項1001に記載の方法。
[請求項1013]
生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、DNAポリメラーゼ、グルコースオキシダーゼ、ラッカーゼ、細胞、ウイルス、タンパク質、ペプチド、小分子、薬剤、色素、アミノ酸、ビタミン、抗酸化剤、DNA、RNA、RNAi、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン(protorhodopsin)、およびポルフィリン、ならびに関連する電子的に活性な化合物からなる群、またはそれらの組み合わせより選択される、請求項1001に記載の方法。
[請求項1014]
バイオポリマーの表面の上にナノパターンを機械加工する工程をさらに含む、請求項1001に記載の方法。
[請求項1015]
ナノパターンが、ホールおよびピットの少なくとも1種のアレイを含む、請求項1014に記載の方法。
[請求項1016]
バイオポリマー膜の上にナノパターンを機械加工する工程が、レーザーを使用して実施される、請求項1014に記載の方法。
[請求項1017]
前記機械加工する工程が、前記レーザーによって発生されるフェムト秒レーザーパルスによって実施される、請求項1016に記載の方法。
[請求項1018]
基材を提供する工程;
バイオポリマーマトリックス溶液を前記基材の上にキャストする工程であって、前記バイオポリマーマトリックス溶液がバイオポリマーを含む、工程;
前記バイオポリマーマトリックス溶液を乾燥させて、前記基材の上に固化したバイオポリマー膜を形成させる工程;および
前記固化したバイオポリマー膜に生物学的物質を添加する工程
を含む、バイオポリマーセンサーの製造方法。
[請求項1019]
バイオポリマーマトリックス溶液が、およそ1.0重量%〜30重量%(両端を含む)の絹を含む絹フィブロイン水溶液である、請求項1018に記載の方法。
[請求項1020]
バイオポリマーが、キトサン、コラーゲン、ゼラチン、アガロース、キチン、ポリヒドロキシアルカノエート、プラン、デンプン(アミロース アミロペクチン)、セルロース、ヒアルロン酸、および関連するバイオポリマーからなる群、またはそれらの組み合わせより選択される、請求項1018に記載の方法。
[請求項1021]
生物学的物質が、赤血球、セイヨウワサビペルオキシダーゼ、およびフェノールスルホンフタレインからなる群、またはそれらの組み合わせより選択される、請求項1018に記載の方法。
[請求項1022]
生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、DNAポリメラーゼ、グルコースオキシダーゼ、ラッカーゼ、細胞、ウイルス、タンパク質、ペプチド、小分子、薬剤、色素、アミノ酸、ビタミン、抗酸化剤、DNA、RNA、RNAi、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン、およびポルフィリン、ならびに関連する電子的に活性な化合物からなる群、またはそれらの組み合わせより選択される、請求項1018に記載の方法。
[請求項1023]
バイオポリマーの表面の上にナノパターンを機械加工する工程をさらに含む、請求項1018に記載の方法。
[請求項1024]
ナノパターンが、ホールおよびピットの少なくとも1種のアレイを含む、請求項1023に記載の方法。
[請求項1025]
バイオポリマー膜の上にナノパターンを機械加工する工程が、レーザーを使用して実施される、請求項1023に記載の方法。
[請求項1026]
前記機械加工する工程が、前記レーザーによって発生されるフェムト秒レーザーパルスによって実施される、請求項1025に記載の方法。
[請求項1027]
包埋された生物学的物質を含む固化したバイオポリマー膜を含む、バイオポリマーセンサー。                         
[請求項1028]
レンズ、マイクロレンズアレイ、光学格子、パターン発生器、およびビームリシェーパーのうちの少なくとも一つである、請求項1027に記載のバイオポリマーセンサー。
[請求項1029]
バイオポリマーセンサーの固化したバイオポリマー膜が絹である、請求項1027に記載のバイオポリマーセンサー。
[請求項1030]
バイオポリマーセンサーの固化したバイオポリマー膜が、キトサン、コラーゲン、ゼラチン、アガロース、キチン、ポリヒドロキシアルカノエート、プラン、デンプン(アミロース アミロペクチン)、セルロース、ヒアルロン酸、および関連するバイオポリマーからなる群、またはそれらの組み合わせより選択される、請求項1027に記載のバイオポリマーセンサー。
[請求項1031]
生物学的物質が、赤血球、セイヨウワサビペルオキシダーゼ、およびフェノールスルホンフタレインからなる群、またはそれらの組み合わせより選択される、請求項1027に記載のバイオポリマーセンサー。
[請求項1032]
生物学的物質が、核酸、色素、細胞、抗体、酵素、たとえば、ペルオキシダーゼ、リパーゼ、アミロース、オルガノホスフェートデヒロドゲナーゼ、リガーゼ、制限エンドヌクレアーゼ、リボヌクレアーゼ、DNAポリメラーゼ、グルコースオキシダーゼ、ラッカーゼ、細胞、ウイルス、タンパク質、ペプチド、小分子、薬剤、色素、アミノ酸、ビタミン、抗酸化剤、DNA、RNA、RNAi、脂質、ヌクレオチド、アプタマー、炭水化物、発色団、発光性有機化合物、たとえばルシフェリン、カロチン、および発光性無機化合物、化学色素、抗生物質、抗真菌剤、抗ウイルス薬、集光性化合物、たとえばクロロフィル、バクテリオロドプシン、プロトロドプシン、およびポルフィリン、ならびに関連する電子的に活性な化合物からなる群、またはそれらの組み合わせより選択される、請求項1027に記載のバイオポリマーセンサー。
[請求項1033]
その上にナノパターンを有する表面をさらに含む、請求項1027に記載のバイオポリマーセンサー。